(57)【要約】【課題】誰がどんな状態で行なっても注射針の取り付け作業およびリキャップ操作を確実に行なうことができるペン型注射器の取付補助具、および、取付補助具の携帯性を向上させることができるペン型注射器の取付補助具を提供する。【解決手段】本発明のペン型注射器の携帯用ケース１においては、収納部２にセットされる蓋部３に本発明の取付補助具４が形成されている。このペン型注射器の取付補助具４においては、注射針１２が取付けられたペン型カートリッジ１１をその延在方向に対して移動自在に水平支持するカートリッジ支持部６およびその延長線上において針ケース１３の開口部をペン型注射器１０の端部に対向させながら固定する針ケース固定部５が設けられている。【選択図】図１
2011139755.tif 000002
【特許請求の範囲】
【請求項１】
ペン型注射器に用いる注射針を端部に取り付け可能な又または既に取り付けたペン型カートリッジを水平に支持するとともに、前記ペン型カートリッジの延在方向に対して前記ペン型カートリッジを移動自在に支持するカートリッジ支持部と、
前記注射針を内包する又または覆うキャップ状の針ケースの開口部が前記ペン型カートリッジの端部と対向するように前記針ケースを前記ペン型カートリッジの延長線上に固定する針ケース固定部と
を備えていることを特徴とするペン型注射器の取付補助具。
【請求項２】
前記カートリッジ支持部は、前記ペン型カートリッジを支持する凹部をそれぞれ有するとともに、前記ペン型カートリッジの延在方向に配列されている２個以上の凹状支持板であり、
前記針ケース固定部は、前記ペン型カートリッジの延在方向において外径が異なる前記針ケースを支持する凹部を大きさを異ならせてそれぞれ有するとともに、前記ペン型カートリッジの延在方向に配列されている２個以上の凹状固定板である
ことを特徴とする請求項１に記載のペン型注射器の取付補助具。
【請求項３】
前記注射針が収納されている前記針ケースおよび前記ペン型カートリッジを収納する収納部と、
請求項１または請求項２に記載の取付補助具を有する蓋部と
を備えていることを特徴とするペン型注射器の携帯用ケース。
【請求項４】
前記収納部は、前記針ケースを起立させた状態で整列収納する複数の針ケース収納穴を有している
ことを特徴とする請求項３に記載のペン型注射器の携帯用ケース。
【発明の詳細な説明】
【技術分野】
【０００１】
本発明は、ペン型注射器の取付補助具およびペン型注射器の携帯用ケースに係り、特に、ペン型注射器における使用前の針の取付作業および使用後のリキャップ操作に好適に利用できるペン型注射器の取付補助具および携帯用ケースに関する。
【背景技術】
【０００２】
ペン型注射器とは、インスリン療法を行う糖尿病患者がインスリン製剤を体内に注射するときに使用する注射器である。ペン型注射器にはカートリッジタイプと使い捨てタイプの２種類が存在する。カートリッジタイプのペン型注射器においては、所定量のインスリン製剤が内包されたペン型カートリッジの先端に針ケースに内蔵されているキャップ状に形成された専用の注射針をねじ込んで取付けて針ケースから取り出し、その後に注射針を治療箇所に刺してインスリン製剤を体内に注射する。そして、ペン型注射器の注射後においては、ペン型カートリッジから注射針を取り外して医療廃棄物として捨てる。この注射針の取り外しは注射針に針ケースを被せて注射針を覆って針ケース内に取り外すことが行われる。この注射針を覆う行為のことをリキャップ操作というそして、リキャップ操作においては、針刺し事故により感染症が発生することを防止するため、ペン型注射器の取付補助具が用いられることがある。
【０００３】
図７に一例を示すように、従来のペン型注射器１１０の取付補助具１０４においては、ペン型注射器１１０を収納する包装容器１０２の底部に針ケース１１３を斜めに保持する段差１０２ａが形成されていた。そのため、ペン型注射器１１０の注射後、斜めに保持されたキャップ状の針ケース１１３に注射針１１２を挿入することにより、注射を行なった者が針ケース１１３を手で保持することなくペン型注射器１１０のリキャップ操作を行なうことができるようになっていた。
【先行技術文献】
【特許文献】
【０００４】
【特許文献１】特開２００６−３２６１９２号公報
【発明の概要】
【発明が解決しようとする課題】
【０００５】
しかしながら、従来のペン型注射器１１０の取付補助具１０４においては、斜めに保持された針ケース１１３に対してペン型注射器１１０を手で平行に保たなければならないため、針ケース１１３に対してペン型注射器１１０を平行に挿入できなかった場合、ペン型注射器１１０の注射針１１２が針ケース１１３の開口部１１３ａの縁や内部に接触することによりリキャップ操作を正確に行なうことができないという問題があった。この場合、取付作業者は再度リキャップ操作を行なわなければならず、その作業を煩雑に感じる事態が生じる。さらに、従来のペン型注射器１１０の取付補助具１０４を用いたリキャップ操作を煩雑に感じる度合いが増すと、取付作業者は従来のペン型注射器１１０の取付補助具１０４を用いずに手で針ケース１１３を保持してリキャップ操作を行なうことになるので、結果として、針刺し事故を防止することができないといった問題も生じる。
【０００６】
また、従来のペン型注射器１１０の取付補助具１０４においては、幅広で大柄な包装容器１０２に形成されていたことから、その携帯性に問題があった。
【０００７】
さらに、従来のペン型注射器１１０の取付補助具１０４においては、注射前の段階において、雌ねじが形成されたキャップ状の注射針１１２を雄ねじが形成されたペン型注射器１１０の端部にねじ込こんで取付ける作業の補助を行なうことができないという問題があった。
【０００８】
そこで、本発明はこれらの点に鑑みてなされたものであり、誰がどんな状態で行なっても注射針の取り付け作業およびリキャップ操作を確実に行なうことができるペン型注射器の取付補助具を提供することを本発明の目的としている。
【０００９】
また、本発明は、ペン型注射器の取付補助具の携帯性を向上させることができるペン型注射器の携帯用ケースを提供することを本発明の他の目的としている。
【課題を解決するための手段】
【００１０】
前述した目的を達成するため、本発明のペン型注射器の取付補助具は、その第１の態様として、ペン型注射器に用いる注射針を端部に取り付け可能な又または既に取り付けたペン型カートリッジを水平に支持するとともに、ペン型カートリッジの延在方向に対してペン型カートリッジを移動自在に支持するカートリッジ支持部と、注射針を内包する又または覆うキャップ状の針ケースの開口部がペン型カートリッジの端部と対向するように針ケースをペン型カートリッジの延長線上に固定する針ケース固定部とを備えていることを特徴としている。
【００１１】
本発明の第１の態様のペン型注射器の取付補助具によれば、ペン型カートリッジに注射針を取り付ける場合においては、ペン型注射器の後端を押した後にねじ込み作業を行なうことにより、針ケースに内包された注射針をペン型カートリッジに取り付けることができる。また、ペン型注射器（注射針が取付けられたペン型カートリッジ）にリキャップ操作を行なう場合においては、ペン型注射器の後端を押すことにより、カートリッジ支持部によって水平に支持されたペン型注射器を注射針の延在方向に移動させながら針ケース固定部よって水平に固定された針ケースに注射針を平行に挿入することができる。
【００１２】
本発明の第２の態様のペン型注射器の取付補助具は、第１の態様のペン型注射器の取付補助具において、カートリッジ支持部は、ペン型カートリッジを支持する凹部をそれぞれ有するとともに、ペン型カートリッジの延在方向に配列されている２個以上の凹状支持板であり、針ケース固定部は、ペン型カートリッジの延在方向において外径が異なる針ケースを支持する凹部を大きさを異ならせてそれぞれ有するとともに、ペン型カートリッジの延在方向に配列されている２個以上の凹状固定板であることを特徴としている。
【００１３】
本発明の第２の態様のペン型注射器の取付補助具によれば、簡易な形状でカートリッジ支持部および針ケース固定部を形成することができるので、使いやすさおよび携帯性を向上させることができる。
【００１４】
また、本発明のペン型注射器の携帯用ケースは、第１の態様として、注射針が収納されている針ケースおよびペン型カートリッジを収納する収納部と、第１または第２の態様の取付補助具を有する蓋部とを備えていることを特徴としている。
【００１５】
本発明の第１の態様のペン型注射器の携帯用ケースによれば、外出時にペン型注射器の携帯用ケースを携帯することによって取付補助具を同時に持ち出すことができる。
【００１６】
本発明の第２の態様のペン型注射器の携帯用ケースは、第１の態様のペン型注射器の携帯用ケースにおいて、収納部は、針ケースを起立させた状態で整列収納する複数の針ケース収納穴を有していることを特徴としている。
【００１７】
本発明の第２の態様のペン型注射器の携帯用ケースによれば、外出時においても針ケースを確実に整理することができるので、注射針の使用の有無を即座に確認することができる。
【発明の効果】
【００１８】
本発明のペン型注射器の取付補助具によれば、取付作業者の指１本で注射針を針ケースに平行に挿入することができるので、誰がどんな状態で行なっても注射針の取り付け作業およびリキャップ操作を確実に行なうことができるという効果を奏する。
【００１９】
また、本発明のペン型注射器の携帯用ケースによれば、外出時にペン型注射器の携帯用ケースを携帯することによって取付補助具を同時に持ち出すことができるので、取付補助具の携帯性を向上させることができるという効果を奏する。
【図面の簡単な説明】
【００２０】
【図１】本発明のペン型注射器の携帯用ケースおよび取付補助具の一実施形態を示す全体斜視図
【図２】図１の２−２矢視断面図
【図３】本実施形態のペン型注射器の取付補助具において注射針の取付前の状態を示す平面図
【図４】本実施形態のペン型注射器の取付補助具において注射針の取付作業状態を示す平面図
【図５】本実施形態のペン型注射器の携帯用ケースの蓋部および取付補助具を示す平面図
【図６】本実施形態のペン型注射器の取付補助具においてリキャップ操作手法を示す平面図
【図７】従来のペン型注射器の取付補助具の一例を示す正面図
【発明を実施するための形態】
【００２１】
以下、本発明のペン型注射器の携帯用ケースおよび取付補助具をその一実施形態により説明する。
【００２２】
本実施形態のペン型注射器１０の携帯用ケース１は、図１に示すように、収納部２および蓋部３を備えている。携帯用ケース１の材質としては、強度や耐久性に問題がなければ特に限定はされない。本実施形態の携帯用ケース１の材質としては、軽量化と耐久性を考慮し、プラスチックが選択されている。
【００２３】
収納部２は、使用前後の注射針１２が収納されている針ケース１３や、使用前後のペン型カートリッジ１１を収納する容器である。本実施形態の収納部２は、針ケース１３やペン型カートリッジ１１を整列収納し易いようにするために、縦長のバスタブ形状に形成されていることが好ましい。また、本実施形態の収納部２は、複数の針ケース収納穴７を有していることが好ましい。この針ケース収納穴７は、使用前後の針ケース１３を起立させた状態で整列収納するために、針ケース１３の外径に応じた内径に設定されている。
【００２４】
また、蓋部３は、図１に示すように、本実施形態の取付補助具４を有しており、図２に示すように、取付補助具４が形成された部分を内側にして収納部２の蓋となるように形成されている。
【００２５】
本実施形態のペン型注射器１０の取付補助具４は、図１に示すように、カートリッジ支持部６および針ケース固定部５を備えている。
【００２６】
カートリッジ支持部６は、図１、図３、図５に示すように、先端１１ａに注射針１２が取付けられたまたは取り付け可能なペン型カートリッジ１１を水平に支持するように形成されている。また、このカートリッジ支持部６は、ペン型カートリッジ１１の延在方向に対してペン型カートリッジ１１を移動自在に支持している。
【００２７】
カートリッジ支持部６としては、図示はしないが、ペン型カートリッジ１１の外径よりも大きくてその延在方向に沿って長く形成されたＵ字溝であっても良いし、ペン型カートリッジ１１の外径よりも大きな穴が設けられた複数の支持板をペン型カートリッジ１１の延在方向に沿って配列させたものであっても良い。本実施形態のカートリッジ支持部６としては、ペン型カートリッジ１１の外径よりも大きく、かつ、それを支持する凹部６ａをそれぞれ有するとともに、ペン型カートリッジ１１の延在方向に沿って配列されている２個以上の凹状支持板であることが好ましい。
【００２８】
また、針ケース固定部５は、図３に示すように注射前の注射針１２を内包した又または図５に示すように注射後の注射針１２を覆う針ケース１３の開口部１３ａがペン型カートリッジ１１の先端１１ａと対向し、かつ、ペン型カートリッジ１１の延長線上に針ケース１３を固定するように形成されている。
【００２９】
針ケース固定部５としては、図示はしないが、針ケース１３の外径よりも大きく、かつ、針ケース１３の先端側が薄膜状のシールカバーによって閉じられており、その開口部１３ａ側がカートリッジ支持部６のＵ字溝に連結したＵ字溝であっても良いし、針ケース１３の外径に応じて設けられた複数の穴が設けられた複数の支持板をペン型カートリッジ１１の延在方向に沿って配列させたものであっても良い。本実施形態の針ケース固定部５としては、本実施形態のカートリッジ支持部６と同様、ペン型カートリッジ１１の延在方向に配列されている２個以上の凹状固定板であることが好ましい。さらに、本実施形態の針ケース固定部５としての２個以上の凹状固定板は、異なる大きさの凹部５ａをそれぞれ有するように形成されていることが好ましい。これらの凹部５ａの大きさは、針ケース１３がペン型カートリッジ１１の延在方向に移動することを防止するため、針ケース１３の先端側の凹部５ａの寸法が小さく、その針ケース１３の開口部１３ａ側の凹部５ａの寸法が大きいといったように、針ケース１３の外径に応じて設定されている。
【００３０】
次に、本実施形態のペン型注射器１０の携帯用ケース１および取付補助具４の作用効果を説明する。
【００３１】
本実施形態のペン型注射器１０の携帯用ケース１においては、図１および図２に示すように、収納部２にセットされる蓋部３に本実施形態の取付補助具４が形成されている。そのため、外出時などにおいてペン型注射器１０の携帯用ケース１を携帯していれば、携帯用ケース１の蓋部３の内部に設けられた取付補助具４を同時に持ち出すことができる。
【００３２】
また、本実施形態のペン型注射器１０の取付補助具４においては、注射針１２が取り付け可能なまたは取付けられたペン型カートリッジ１１をペン型カートリッジ１１の延在方向に対して移動自在に水平支持するカートリッジ支持部６、および、ペン型カートリッジ１１の延長線上において針ケース１３の開口部１３ａをペン型カートリッジ１１の先端１１ａに対向させながら固定する針ケース固定部５が設けられている。
【００３３】
そのため、ペン型カートリッジ１０に注射針を取り付ける場合においては、図３および図４に示すように、カートリッジ支持部６上にペン型カートリッジ１１をその延在方向に移動自在に水平支持するとともに針ケース固定部５上に針ケース１３を水平に固定させ、ペン型注射器１０をペン型カートリッジ１１の延在方向に押し出した後、針ケース１３に内包された注射針１２の雌ねじ１２ａにペン型カートリッジ１１の先端１１ａに形成された雄ねじをねじり込むことによって、針ケース１３に内包された注射針１２をペン型カートリッジ１１の先端１１ａに１回で確実に取り付けることができる。そして、注射をする場合には、針ケース１３および針キャップ１４を注射針１２から取外して使用することができる。
【００３４】
また、図５および図６に示すように、ペン型注射器１０（注射針１２が取付けられたペン型カートリッジ１１）の使用後のリキャップ操作の場合においては、ペン型注射器１０をペン型カートリッジ１１の延在方向に押し出すことにより、カートリッジ支持部６によって水平に支持されたペン型注射器１０をペン型カートリッジ１１の延在方向に移動させながら針ケース固定部５よって水平に固定された針ケース１３に注射針１２を平行に挿入することができる。注射針１２を針ケース１３に平行に挿入すれば、注射針１２が針ケース１３の開口部１３ａの縁やその内部に接触することがないので、リキャップ操作を失敗することを防止することができる。なお、注射針１２が針ケース１３に平行に挿入された後であれば、その後に針ケース１３をペン型カートリッジ１１の先端１１ａ側に強く押し込んだり、ペン型カートリッジ１１にねじり込んだりする針ケース１３のロック作業が行なわれた場合であっても針刺し事故を確実に防ぐことができる。
【００３５】
また、本実施形態のペン型注射器１０の取付補助具４においては、図３または図５に示すように、カートリッジ支持部６および針ケース固定部５が上述通りの凹部５ａ、６ａを有する各２個以上の凹状固定板に形成されている。つまり、カートリッジ支持部６および針ケース固定部５が簡易な形状であるため、取付補助具４の材質にかかわらず、取付補助具４の形成を容易にすることができるとともに、その軽量化を図ることができる。また、図３から図６に示すように、ペン型カートリッジ１１の後端から取付作業者の指Ｈで押しやすく、かつ、ねじり込み易くすることもできる。つまり、カートリッジ支持部６および針ケース固定部５を各２個以上の凹状固定板に形成することによって、取付補助具４の使いやすさおよび携帯性を向上させることができる。
【００３６】
また、本実施形態のペン型注射器１０の携帯用ケース１においては、図１に示すように、収納部２に複数の針ケース収納穴７が形成されている。そのため、外出時においても針ケース１３を確実に整理することができるので、注射針１２の使用の有無を即座に確認することができる。
【００３７】
すなわち、本実施形態のペン型注射器１０の取付補助具４によれば、図３または図５に示すように、取付作業者の１本の指Ｈで注射針１２を針ケース１３に平行に挿入し、また、図４に示すように取付作業者の２本の指Ｈでペン型カートリッジ１１のねじり込み作業をすることができるので、誰がどんな状態で行なっても注射針１２の取り付け作業およびリキャップ操作を確実に行なうことができるという作用効果を奏する。
【００３８】
また、本実施形態のペン型注射器１０の携帯用ケース１によれば、外出時にペン型注射器１０の携帯用ケース１を携帯することによって取付補助具４を同時に持ち出すことができるので、取付補助具４の携帯性を向上させることができるという効果を奏する。
【００３９】
なお、本発明は、前述した実施形態などに限定されるものではなく、必要に応じて種々の変更が可能である。
【符号の説明】
【００４０】
１  ペン型注射器の携帯用ケース
２  収納部
３  蓋部
４  ペン型注射器の取付補助具
５  針ケース固定部
５ａ  凹部
６  カートリッジ支持部
６ａ  凹部
７  針ケース収納穴
１０  ペン型注射器
１１  ペン型カートリッジ
１２  注射針
１３  針ケース
【図１】
2011139755.tif 000003
【図２】
2011139755.tif 000004
【図３】
2011139755.tif 000005
【図４】
2011139755.tif 000006
【図５】
2011139755.tif 000007
【図６】
2011139755.tif 000008
【図７】
2011139755.tif 000009